(57)【要約】【課題】面材を支持する位置や面材の見込み寸法に関わらず防火性能の向上を図る。【解決手段】見付け方向に沿った支持ヒレ部１５Ａｃを有する外方フレーム要素１５Ａと、押縁装着部１５Ｂｄを有する内方フレーム要素１５Ｂとを互いに非接触の状態で見込み方向に沿って並設し、かつこれら２つのフレーム要素１５Ａ，１５Ｂの間を断熱材１５Ｃで連結することにより構成した方立枠１５を備え、押縁装着部１５Ｂｄを介して内方フレーム要素１５Ｂに装着した押縁１６と、支持ヒレ部１５Ａｃとの間にガラスパネル３０の周縁部を収容する面材収容部１５Ｅが構成される建具であって、押縁１６には、面材収容部１５Ｅにおいて断熱材１５Ｃを覆うように延長カバー部１６ｄが設けられている。【選択図】図３
2018003310.tif 000002
【特許請求の範囲】
【請求項１】
見付け方向に沿った支持ヒレ部を有する第１のフレーム要素と、押縁装着部を有する第２のフレーム要素とを互いに非接触の状態で見込み方向に沿って並設し、かつこれら２つのフレーム要素の間を断熱材で連結することにより構成した枠部材を備え、前記押縁装着部を介して前記第２のフレーム要素に装着した押縁と、前記支持ヒレ部との間に面材の周縁部を収容する面材収容部が構成される建具であって、
前記押縁には、前記面材収容部において前記断熱材を覆うように延長カバー部が設けられていることを特徴とする建具。
【請求項２】
前記押縁は、前記第１のフレーム要素に対して非接触となるように前記押縁装着部に支持されていることを特徴とする請求項１に記載の建具。
【請求項３】
前記第２のフレーム要素が室内側となるように配置したことを特徴とする請求項１に記載の建具。
【請求項４】
前記枠部材は、枠体の上枠及び下枠の間に上下方向に沿って配設される方立枠であることを特徴とする請求項１に記載の建具。
【発明の詳細な説明】
【技術分野】
【０００１】
本発明は、建具に関するもので、第１のフレーム要素と第２のフレーム要素との間を断熱材によって連結した枠部材を備える建具に関するものである。
【背景技術】
【０００２】
建具に適用される枠部材には、２つの金属製フレーム要素が非接触の状態で見込み方向に沿って並設され、かつ互いの間が断熱材で連結されたものが提供されている。この種の枠部材を備える建具によれば、２つのフレーム要素の間に介在した断熱材によって室内外の熱伝達が抑制されることになり、例えば枠部材の室内側部分に結露が生じない等の利点がある（例えば、特許文献１参照）。
【先行技術文献】
【特許文献】
【０００３】
【特許文献１】実開昭６２−１１３２７７号公報
【発明の概要】
【発明が解決しようとする課題】
【０００４】
ところで、昨今の建具には、火災等において火熱が加えられた場合にも火炎の貫通口が生じないような防火性能を有していることが要求される。上述した２つのフレーム要素の間を断熱材によって連結した枠部材を適用する建具では、火熱が加えられた場合に２つのフレーム要素の間に介在した断熱材が溶融すると、断熱材が設けられている空間が火炎の貫通口となるおそれがある。
【０００５】
上述した特許文献１の建具においては、断熱材が設けられた空間を超えた位置において面材が押縁によって支持されており、断熱材が設けられた空間の表面が押縁によって覆われた状態にある。従って、火災時に火熱が加えられて面材を支持するタイト材が溶融し、面材の収容部に火炎が進入したとしても、当該火炎が断熱材に至ることはなく、断熱材が設けられた空間が火炎の貫通口となるおそれもない。
【０００６】
しかしながら、枠部材の見込み方向において面材を支持する位置は建具の仕様によって様々である。例えば、面材が取手側にずれた位置に支持されている場合には、押縁による面材の支持位置も取手側に移動することになり、面材を収容する部分に断熱材が露出した状態となる。また、複層ガラス等のように見込み寸法の大きい面材を適用した建具にも、同様に押縁による面材の支持位置が取手側に移動するため、面材を収容する部分に断熱材が露出した状態となる。こうした建具にあっては、火災時に火熱が加えられて面材を支持するタイト材が溶融し、面材の収容部に火炎が進入した場合、当該火炎によって断熱材が溶融し、その空間が火炎の貫通口となり得る。
【０００７】
本発明は、上記実情に鑑みて、面材を支持する位置や面材の見込み寸法に関わらず防火性能の向上を図ることのできる建具を提供することを目的とする。
【課題を解決するための手段】
【０００８】
上記目的を達成するため、本発明に係る建具は、見付け方向に沿った支持ヒレ部を有する第１のフレーム要素と、押縁装着部を有する第２のフレーム要素とを互いに非接触の状態で見込み方向に沿って並設し、かつこれら２つのフレーム要素の間を断熱材で連結することにより構成した枠部材を備え、前記押縁装着部を介して前記第２のフレーム要素に装着した押縁と、前記支持ヒレ部との間に面材の周縁部を収容する面材収容部が構成される建具であって、前記押縁には、前記面材収容部において前記断熱材を覆うように延長カバー部が設けられていることを特徴とする。
【０００９】
この発明によれば、押縁に延長カバー部を設けるようにしているため、面材収容部に火炎が進入したとしても当該火炎が断熱材に到達することはなく、火炎の貫通口が生じる事態を防止することが可能となる。
【００１０】
また本発明は、上述した建具において、前記押縁は、前記第１のフレーム要素に対して非接触となるように前記押縁装着部に支持されていることを特徴とする。
【００１１】
この発明によれば、押縁が第２のフレーム要素にのみ支持されるため、押縁が第１のフレーム要素と第２のフレーム要素との間の熱橋となることがなく、断熱性を維持することができる。
【００１２】
また本発明は、上述した建具において、前記第２のフレーム要素が室内側となるように配置したことを特徴とする。
【００１３】
この発明によれば、押縁が室内側に配置されることになり、室外側から押縁が取り外されるおそれがない。
【００１４】
また本発明は、上述した建具において、前記枠部材は、枠体の上枠及び下枠の間に上下方向に沿って配設される方立枠であることを特徴とする。
【００１５】
この発明によれば、火熱が加えられた場合に上枠や縦枠に比べてより高温状態になり易い方立枠に適用しているため、火炎の貫通口が形成される事態をより確実に防止することができる。
【発明の効果】
【００１６】
本発明によれば、押縁に延長カバー部を設けるようにしているため、面材収容部に火炎が進入したとしても当該火炎が断熱材に到達することはなく、火炎の貫通口が生じる事態を防止することが可能となる。
【図面の簡単な説明】
【００１７】
【図１】図１は、本発明の実施の形態である建具を室外側から見た図である。
【図２】図２は、図１に示した建具を室内側から見た図である。
【図３】図３は、図１に示した建具の要部横断面図である。
【図４】図４は、図１に示した建具の要部分解横断面図である。
【発明を実施するための形態】
【００１８】
以下、添付図面を参照しながら本発明に係る建具の好適な実施の形態について詳細に説明する。
図１及び図２は、本発明の実施の形態である建具を示したものである。ここで例示する建具は、家屋の玄関に用いられる開きドアであり、枠体１０を備えている。枠体１０は、上枠１１、下枠１２及び左右の縦枠１３，１４を四周枠組みすることによって構成した矩形状の外枠部１０Ａと、上枠１１及び下枠１２の間に上下方向に沿って配設した方立枠１５とを備えたものである。本実施の形態では、図１及び図２からも明らかなように、上枠１１及び下枠１２の長手を二等分する中心線からずれた位置に方立枠１５を配置するようにしている。具体的には、図１に示すように、建具を室外側から見た場合に左側に配置される左縦枠１３に近接するように方立枠１５が設けてあり、外枠部１０Ａの開口内部を主開口１０Ａａと副開口１０Ａｂとに二分している。
【００１９】
主開口１０Ａａは、室外側から見た場合に右側に配置される右縦枠１４と方立枠１５との間に構成される幅の大きな開口である。この主開口１０Ａａには、右縦枠１４が吊り元で方立枠１５が戸先となり、室外側に向けて開くようにドアパネル２０が開閉可能に配設してある。ドアパネル２０は、断熱ドアと称されるもので、図には明示していないが、表裏両面板の間にフォーム材等からなる断熱面材を配設することによって構成してある。副開口１０Ａｂは、左縦枠１３と方立枠１５との間に構成される幅の小さな開口である。この副開口１０Ａｂには、ガラスパネル（面材）３０を配設することによってＦＩＸ窓が構成してある。ガラスパネル３０は、図３に示すように、スペーサ部材３１を介して２枚のガラス３２，３３を接合して構成した複層ガラスと称されるものである。
【００２０】
図３及び図４に示すように、建具の方立枠１５は、２つのフレーム要素１５Ａ，１５Ｂを見込み方向に沿って並設し、かつ互いの間の２カ所をそれぞれ断熱材１５Ｃで連結することにより構成したものである。ここで、見込み方向とは、図３中の矢印Ａで示すように、建具の奥行きに沿った方向のことである。見込み方向に沿った平面については見込み面と称し、見込み方向に沿った寸法については見込み寸法と称する場合がある。また、見付け方向とは、上枠１１及び下枠１２等のように水平に沿った部材の場合、見込み方向に直交した上下に沿う方向であり、縦枠１３，１４等のように上下に沿った部材の場合、見込み方向に直交した水平に沿う方向である。見付け方向に沿った寸法については、見付け寸法と称する場合がある。長手方向とは、それぞれのフレーム要素１５Ａ，１５Ｂを押し出し成形する場合の押し出し方向に一致する。方立枠１５の場合には、図１中の矢印Ｂで示すように、上下方向に沿った方向が長手方向となる。
【００２１】
室外側に配置される第１のフレーム要素（以下、外方フレーム要素１５Ａという）は、アルミニウム合金等の金属材料によって成形した押し出し形材であり、長手方向の全長にわたってほぼ一様な断面を有するように構成してある。図３及び図４に示すように、この外方フレーム要素１５Ａは、外方フレーム基部１５Ａａ、左右の外方断熱材収容部１５Ａｂ及び支持ヒレ部１５Ａｃを有している。
【００２２】
外方フレーム基部１５Ａａは、見付け方向に沿った２つの見付け壁１５Ａａ１，１５Ａａ２と、見込み方向に沿った２つの見込み壁１５Ａａ３，１５Ａａ４とを有した矩形断面の筒状を成すものである。左右の外方断熱材収容部１５Ａｂは、外方フレーム基部１５Ａａにおいて室内側に位置する見付け壁１５Ａａ２の外表面に設けた凹溝状の部分である。個々の外方断熱材収容部１５Ａｂは、それぞれが室内側に向けて開口するもので、見付け壁１５Ａａ２の両側縁部において外方フレーム基部１５Ａａの長手方向に沿って延在している。支持ヒレ部１５Ａｃは、外方フレーム基部１５Ａａにおいて副開口１０Ａｂに臨む見込み面から見付け方向に沿って突出した薄板状部分であり、室内側に臨む面の突出端部に窓用タイト材ＡＴ１を保持している。窓用タイト材ＡＴ１は、支持ヒレ部１５Ａｃとガラスパネル３０との間に介在する弾性部材であり、ガラスパネル３０の室外に臨む表面３０ａに密着するように成形してある。
【００２３】
室内側に配置される第２のフレーム要素（以下、内方フレーム要素１５Ｂという）は、外方フレーム要素１５Ａと同様、アルミニウム合金等の金属材料によって成形した押し出し形材であり、長手方向の全長にわたってほぼ一様な断面を有するように構成してある。この内方フレーム要素１５Ｂは、内方フレーム基部１５Ｂａ、左右の内方断熱材収容部１５Ｂｂ、戸当りヒレ部１５Ｂｃ及び押縁装着部１５Ｂｄを有している。
【００２４】
内方フレーム基部１５Ｂａは、外方フレーム基部１５Ａａと同じ見付け寸法を有した内方見付け壁１５Ｂａ１と、内方見付け壁１５Ｂａ１の両端部からそれぞれ室内側に向けて互いにほぼ平行となるように延在した左右の内方見込み壁１５Ｂａ２，１５Ｂａ３とを有したものである。内方フレーム基部１５Ｂａにおいて左右の内方見込み壁１５Ｂａ２，１５Ｂａ３の間には、室内側の開口を覆う蓋部材１５Ｄが着脱可能に装着してある。左右の内方断熱材収容部１５Ｂｂは、内方フレーム基部１５Ｂａの内方見付け壁１５Ｂａ１において外方フレーム要素１５Ａの外方断熱材収容部１５Ａｂに対向する部位に設けた凹溝状の部分である。個々の内方断熱材収容部１５Ｂｂは、それぞれが室外側に向けて開口するもので、内方フレーム基部１５Ｂａの長手方向に沿って延在している。
【００２５】
戸当りヒレ部１５Ｂｃは、内方フレーム基部１５Ｂａにおいて主開口１０Ａａに臨む見込み面から見付け方向に沿って突出したもので、室外側に臨む面の突出端部にドア用タイト材ＡＴ２を保持している。ドア用タイト材ＡＴ２は、ドアパネル２０が閉じられた場合にドアパネル２０の室内側に臨む表面に接触し、ドアパネル２０と方立枠１５との間の気密性を確保するためのもので、弾性部材によって成形してある。
【００２６】
押縁装着部１５Ｂｄは、内方フレーム基部１５Ｂａにおいて副開口１０Ａｂに臨む見込み面に設けたもので、押縁係合片１５Ｂｄ１及び押縁支持片１５Ｂｄ２を有している。押縁係合片１５Ｂｄ１は、内方フレーム基部１５Ｂａの副開口１０Ａｂに臨む見込み面において室外側に位置する縁部から見付け方向に沿って突出した薄板状部分である。押縁係合片１５Ｂｄ１の突出端部には、係合受部１５Ｂｄ１ａが設けてある。係合受部１５Ｂｄ１ａは、室内側に向けてほぼ直角に屈曲した後、屈曲端部から副開口１０Ａｂの内方に向けて漸次室外側に傾斜するように延在した部分である。押縁支持片１５Ｂｄ２は、内方フレーム基部１５Ｂａの副開口１０Ａｂに臨む見込み面において押縁係合片１５Ｂｄ１よりも室内側となる部位から見付け方向に沿って突出した薄板状部分である。押縁支持片１５Ｂｄ２の突出端部は、押縁係合片１５Ｂｄ１よりも突出した位置において室外側に向けてほぼ直角に屈曲することにより、見込み方向に沿った押縁支持面１５Ｂｄ２ａを構成している。
【００２７】
これら外方フレーム要素１５Ａ及び内方フレーム要素１５Ｂの間を連結する断熱材１５Ｃは、アルミニウム合金よりも熱伝導率の小さい樹脂からなるものである。個々の断熱材１５Ｃは、２つのフレーム要素１５Ａ，１５Ｂが互いに非接触の状態を維持するように相互間の長手方向に沿った全長にわたる部位に介在している。断熱材１５Ｃとしては、予め成形したものを適用しても良いし、可塑性を有した液状のものをそれぞれの断熱材収容部１５Ａｂ，１５Ｂｂの間に注入して硬化させるようにしても良い。
【００２８】
上記のように構成した方立枠１５を備える枠体１０では、副開口１０Ａｂにガラスパネル３０を配設する場合、まず、窓用タイト材ＡＴ１を介して外方フレーム要素１５Ａの支持ヒレ部１５Ａｃにガラスパネル３０の室外に臨む表面３０ａを当接させる。この状態から内方フレーム要素１５Ｂの押縁装着部１５Ｂｄに押縁１６を装着すれば、支持ヒレ部１５Ａｃと押縁１６との間に面材収容部１５Ｅが構成され、支持ヒレ部１５Ａｃと押縁１６との間にガラスパネル３０の周縁部が挟持されることになる。押縁１６は、フレーム要素１５Ａ，１５Ｂと同様、アルミニウム合金等の金属材料によって成形した押し出し形材である。本実施の形態では、平板状を成す押縁基部１６ａと、押縁基部１６ａから延在した押縁ヒレ部１６ｂ、係合片部１６ｃ及び延長カバー部１６ｄとを有した押縁１６を適用している。図には明示していないが、押縁１６は、方立枠１５と同じ長手寸法を有したものである。
【００２９】
押縁基部１６ａは、外周側の表面１６ａ１を介して押縁支持片１５Ｂｄ２の押縁支持面１５Ｂｄ２ａに当接されるものである。この押縁基部１６ａは、押縁支持面１５Ｂｄ２ａに当接した場合に押縁係合片１５Ｂｄ１及び押縁支持片１５Ｂｄ２を覆うことのできる見込み寸法を有している。
【００３０】
押縁ヒレ部１６ｂは、押縁基部１６ａの室内側に位置する縁部から内周側の表面１６ａ２側に向けてほぼ直角に屈曲した平板状部分である。押縁ヒレ部１６ｂの屈曲端部には、押縁タイト材ＡＴ３が接着してある。押縁タイト材ＡＴ３は、押縁ヒレ部１６ｂとガラスパネル３０との間に介在する弾性部材であり、ガラスパネル３０の室内に臨む表面３０ｂに密着するように成形してある。
【００３１】
係合片部１６ｃは、押縁基部１６ａの外周側の表面１６ａ１から突出した板状部分である。図からも明らかなように、係合片部１６ｃは、押縁基部１６ａから突出するに従って漸次室外側に向かうように傾斜延在している。係合片部１６ｃの延在端部には、室外側に向けて鉤状に屈曲した係合部１６ｅが設けてある。押縁基部１６ａの室内側に位置する縁部から係合片部１６ｃまでの間には、押縁支持片１５Ｂｄ２に設けた押縁支持面１５Ｂｄ２ａの見込み寸法と同じ幅を有するように当接面１６ａ１′が確保してある。
【００３２】
延長カバー部１６ｄは、段部１６ｆを介して押縁基部１６ａの室外側に位置する縁部に設けた平板状部分である。段部１６ｆは、押縁基部１６ａの縁部から外周側に向けて漸次室外側に傾斜するように延在した平板状を成すものである。段部１６ｆの外周側への屈曲寸法は、係合片部１６ｃの突出寸法の１／２以下である。延長カバー部１６ｄは、押縁基部１６ａとほぼ平行となるように、段部１６ｆの延在端部から断熱材１５Ｃとガラスパネル３０の見込み面３０ｃとの間を通過して室外側に延在している。延長カバー部１６ｄの延在寸法は、係合片部１６ｃを内方フレーム要素１５Ｂの押縁係合片１５Ｂｄ１に係合させた場合、断熱材１５Ｃにおいて面材収容部１５Ｅに臨む部位を通過して見込み壁１５Ａａ３の一部を覆う一方、外方フレーム要素１５Ａの支持ヒレ部１５Ａｃとの間に隙間が確保される寸法である。
【００３３】
上記の構成を有する押縁１６は、まず、係合片部１６ｃを内方フレーム要素１５Ｂの押縁係合片１５Ｂｄ１と押縁支持片１５Ｂｄ２との間に挿入する。その後、押縁基部１６ａの当接面１６ａ１′を押縁支持面１５Ｂｄ２ａに当接させれば、押縁１６は、係合片部１６ｃの係合部１６ｅが押縁係合片１５Ｂｄ１の係合受部１５Ｂｄ１ａに係合した状態となる。このとき、押縁１６の押縁ヒレ部１６ｂは、外方フレーム要素１５Ａの支持ヒレ部１５Ａｃに対向した状態に配置され、支持ヒレ部１５Ａｃとの間に面材収容部１５Ｅを構成し、かつ押縁タイト材ＡＴ３を介してガラスパネル３０の室内に臨む表面３０ｂに密着した状態で当接する。このため、押縁タイト材ＡＴ３の反発力により押縁基部１６ａの当接面１６ａ１′が押縁支持面１５Ｂｄ２ａに当接した状態に維持され、ガラスパネル３０が外方フレーム要素１５Ａの支持ヒレ部１５Ａｃと押縁１６の押縁ヒレ部１６ｂとの間に挟持された状態になる。
【００３４】
ここで、上記のようにして枠体１０の副開口１０Ａｂにガラスパネル３０を配設した建具では、押縁１６の延長カバー部１６ｄが外方フレーム要素１５Ａと内方フレーム要素１５Ｂとの間において断熱材１５Ｃを設けた部分を覆った状態となる。しかも、押縁１６は、内方フレーム要素１５Ｂにのみ支持されたものであり、外方フレーム要素１５Ａに対しては非接触の状態にある。従って、建具を通常の状態で使用している場合には、外方フレーム要素１５Ａと内方フレーム要素１５Ｂとの間の熱伝達が抑制され、例えば内方フレーム要素１５Ｂや蓋部材１５Ｄに結露が生じない等の利点がある。
【００３５】
一方、室外で火災が発生した場合にも、面材収容部１５Ｅにおいては押縁１６の延長カバー部１６ｄによって断熱材１５Ｃが覆われているため、例えば窓用タイト材ＡＴ１が溶融し、その隙間から火炎が進入したとしても、この火炎が直接断熱材１５Ｃに到達することがない。従って、火災時においても断熱材１５Ｃが溶融する事態を防止することができ、２つのフレーム要素１５Ａ，１５Ｂの間が火炎の貫通口となるおそれはなく、延焼を防止することができる。しかも、延長カバー部１６ｄは、押縁１６から面材収容部１５Ｅに延在すれば良いため、ガラスパネル３０を支持する位置やガラスパネル３０の見込み寸法が変更された場合にも確実に断熱材１５Ｃを覆うことが可能である。
【００３６】
なお、上述した実施の形態では、枠体１０の方立枠１５についてのみ説明したが、上枠１１や左右の縦枠１３，１４に同様の構成を適用しても構わない。また、無目枠を備える建具であれば、無目枠に適用することも可能である。さらに、支持ヒレ部１５Ａｃと押縁１６との間に挟持する面材は必ずしも複層のガラスパネル３０である必要はなく、単層のガラスパネルやその他の面材を挟持するものにも適用することが可能である。
【００３７】
また、上述した実施の形態では、押縁装着部１５Ｂｄを有した内方フレーム要素１５Ｂが室内側となるように枠部材を構成しているため、室外側から押縁１６が取り外されるおそれがないが、本発明は、内方フレーム要素が室外側となるように枠部材を構成しても良い。
【符号の説明】
【００３８】
１０  枠体、１１  上枠、１２  下枠、１５  方立枠、１５Ａｃ  支持ヒレ部、１５Ａ  外方フレーム要素、１５Ｂｄ  押縁装着部、１５Ｂ  内方フレーム要素、１５Ｃ  断熱材、１５Ｅ  面材収容部、１６  押縁、１６ｄ  延長カバー部、３０  ガラスパネル
【図１】
2018003310.tif 000003
【図２】
2018003310.tif 000004
【図３】
2018003310.tif 000005
【図４】
2018003310.tif 000006